(57)【要約】      （修正有）【課題】装置が嵩張らないよう構造をコンパクトにでき且つ廃液と原水との熱交換をより有効に行なわせることができる食器洗浄機用廃熱エネルギー再活用装置を提供する。【解決手段】洗浄機３０内部の加熱温水器５０で加熱した温水により、又は洗浄機３０外部の加熱温水器４０で加熱した温水を洗浄機３０内部の加熱温水器５０に送ってその内部加熱温水器５０で加熱した温水により食器を自動洗浄するようにした自動食器洗浄機において、単管を蛇行状に形成してなる吸熱配管３を、底部に排水口４を設けた扁平状ケーシング５の内部に挿入配備し、扁平状ケーシング５内の上端部には廃水撒水管７を水平に配備し、吸熱配管３の一端部１５を原水供給源８に接続し、吸熱配管３の他端部１６は洗浄機３０に設けた加熱水供給口９に接続するか、又は洗浄機３０の外部加熱温水器４０に接続し、廃水撒水管７を洗浄機３０の廃水排出口に接続する。【選択図】図１
0003132813.tif 000002
【実用新案登録請求の範囲】
【請求項１】
洗浄機内部の加熱温水器で加熱した温水により、又は洗浄機外部の加熱温水器で加熱した温水を洗浄機内部の加熱温水器に送ってその内部加熱温水器で加熱した温水により食器を自動洗浄するようにした自動食器洗浄機において、単管を蛇行状に形成してなる吸熱配管を、扁平状に形成されて底部に排水口を有する扁平状ケーシングの内部に挿入配備すると共に、扁平状ケーシング内の上端部には、下側に多数の撒水孔を設けた廃水撒水管を水平に配備し、吸熱配管の一端部を原水供給源に接続し、吸熱配管の他端部は洗浄機の加熱水供給口に接続するか、又は洗浄機の外部加熱温水器に接続し、廃水撒水管は洗浄機の廃水排出口に接続して、洗浄機の内部加熱温水器から送られた温水により洗浄した廃水を廃水撒水管に供給し、この廃水撒水管によって廃水を下方の吸熱配管に撒水するようにしたことを特徴とする食器洗浄機用廃熱エネルギー再活用装置。
【請求項２】
前記廃水撒水管に設けられた撒水孔は、その長手方向に一定ピッチで多数設けられてなる請求項１に記載の食器洗浄器用廃熱エネルギー再活用装置。
【請求項３】
吸熱配管は両端部が夫々扁平状ケーシングの上端から上向きに突出するように構成されている請求項１又は２に記載の食器洗浄機用廃熱エネルギー再活用装置。
【考案の詳細な説明】
【技術分野】
【０００１】
本考案は、自動食器洗浄機で用途を終えてから捨てられる廃棄洗浄水に含まれる廃熱エネルギーを再活用して洗浄機の使用効率を高め、経済性の向上を図った食器洗浄機用廃熱エネルギー再活用装置に関するものである。
【背景技術】
【０００２】
従来の食器洗浄機用廃熱エネルギー再活用装置として、特許文献１に記載されたものがある。この装置は、自動食器洗浄機の下部後面に二重コルゲート管を設置し、この二重コルゲート管の内管である廃水放熱管と、外管である原水吸熱管が二重構造をなし、二重コルゲート管の両端部に二重管ニップルを締結してそれ役割を区分させ、二重コルゲート管の内管の一端には洗浄後の水を捨てる廃水搬出口を、内管他端には廃水退出口を夫々構成してなり、二重コルゲート管の外管一端には吸熱水搬出口を、外管他端には原水搬入口を夫々構成してなり、吸熱水搬出口は１次加熱温水器と連結設置され、自動食器洗浄機の下部に備えられた２次加熱温水器には加熱水搬入口を１次加熱温水器と連結して構成することによって、洗浄機の使用効率を高め、経済性の向上を図ることができる。
【特許文献１】実用新案登録第３１０６４１４号
【考案の開示】
【考案が解決しようとする課題】
【０００３】
上記特許文献１に記載のような装置にあっては、熱交換用の管が二重コルゲート管からなるため、この二重コルゲート管を蛇行状の配置構成すると、廃熱エネルギー再活用装置が嵩張って大型化し、洗浄機の設置スペースが拡大するといった問題がある。
【０００４】
本考案は、上記のような課題に鑑み、装置が嵩張らないよう構造をコンパクトにできると共に、廃液と原水との熱交換をより有効に行なわせることができる食器洗浄機用廃熱エネルギー再活用装置を提供することを目的とする。
【課題を解決するための手段】
【０００５】
上記課題を解決するための手段を、後述する実施形態の参照符号を付して説明すると、請求項１に係る発明の食器洗浄機用廃熱エネルギー再活用装置は、洗浄機３０内部の加熱温水器５０で加熱した温水により、又は洗浄機３０外部の加熱温水器４０で加熱した温水を洗浄機３０内部の加熱温水器５０に送ってその内部加熱温水器５０で加熱した温水により食器を自動洗浄するようにした自動食器洗浄機において、単管２を蛇行状に形成してなる吸熱配管３を、扁平状に形成されて底部に排水口４を有する扁平状ケーシング５の内部に挿入配備すると共に、扁平状ケーシング５内の上端部には、下側に多数の撒水孔６を設けた廃水撒水管７を水平に配備し、吸熱配管３の一端部１５を原水供給源８に接続し、吸熱配管３の他端部１６は洗浄機３０の加熱水供給口９に接続するか、又は洗浄機３０の外部加熱温水器４０に接続し、廃水撒水管７は洗浄機３０の廃水排出口１０に接続して、洗浄機３０の内部加熱温水器５０から送られた温水により洗浄した廃水を廃水撒水管７に供給し、この廃水撒水管７によって廃水を下方の吸熱配管３に撒水するようにしたことを特徴とする。
【０００６】
請求項２は、請求項１に記載の食器洗浄機用廃熱エネルギー再活用装置において、前記廃水撒水管７に設けられた撒水孔６は、その長手方向に一定ピッチで多数設けられてなることを特徴とする。
【０００７】
請求項３は、請求項１又は２に記載の食器洗浄機用廃熱エネルギー再活用装置において、吸熱配管３は両端部１５，１６が夫々扁平状ケーシング５の上端から上向きに突出するように構成されるていることを特徴とする。
【考案の効果】
【０００８】
上記解決手段による考案の効果を、後述する実施形態の参照符号を付して説明すると、請求項１に係る考案によれば、底部に排水口４を設けた扁平状ケーシング５の内部に吸熱配管３を挿入配備し、扁平状ケーシング５内の上端部には、下側に多数の撒水孔６を設けた廃水撒水管７を水平に配備し、吸熱配管３の一端部１５を原水供給源８に接続し、吸熱配管３の他端部１６は洗浄機３０の加熱水供給口９に接続するか、又は洗浄機３０の外部加熱温水器４０に接続し、廃水撒水管７は洗浄機３０の廃水排出口１０に接続してなるもので、洗浄機３０の内部加熱温水器５０から送られた温水で洗浄した用途廃棄された廃洗浄水を廃水撒水管７に供給し、この廃水撒水管７により廃洗浄水を下方の吸熱配管３に撒水するから、廃洗浄水に含まれている例えば６０℃に相当する廃熱エネルギーを吸熱配管３により有効に吸収し、この吸熱配管３の内部を流通する低温の洗浄原水を効果的に加熱することができる。
【０００９】
また吸熱配管３は、二重コルゲート管からなる従来の熱交換用管とは異なり、単管２を蛇行状に形成したものからなるため、配管長さを同一とした場合には、吸熱配管３の構造をコンパクトにして且つ小型にすることができる。しかも、この吸熱配管３を挿入配備するケーシング５が扁平状に形成されているから、装置が嵩張ることがなく、洗浄機設置のためのスペースを最小限にすることができる。
【００１０】
請求項２に係る考案によれば、前記廃水撒水管７に設けられた撒水孔６は、その長手方向に一定ピッチで多数設けられてなるため、吸熱配管３の長手方向全域に均等に熱交換を行わせることができると共に、撒水孔６によって廃水の液滴が小さい状態で撒水するようになっているため、それだけ熱交換表面積が大となって熱交換を無駄なく効率的に行わせることができる。
【００１１】
請求項３に係る考案によれば、吸熱配管３は、両端部１５，１６が夫々扁平状ケーシング５の上端から上向きに突出するように構成されているから、ケーシング５内への挿入配備が容易になると共に、原水供給源８ならびに加熱水供給口９及び外部加熱温水器４０との接続が容易となり、施工コストの低廉化が図られる。
【考案を実施するための最良の形態】
【００１２】
以下に本考案の好適な一実施形態を図面に基づいて説明すると、図１は本考案に係る食器洗浄機用廃熱エネルギー再活用装置を備えた自動食器洗浄機を示す斜視図であり、図２は廃熱エネルギー再活用装置の一部断面正面図であり、また図３は同廃熱エネルギー再活用装置の平面図である。
【００１３】
図１及び図２において、符号１は本考案に係る食器洗浄機用廃熱エネルギー再活用装置を示し、３０は自動食器洗浄機を示す。自動食器洗浄機３０は、この洗浄機３０の外部に設置された加熱温水器４０で加熱した温水を、洗浄機３０の内部に設けられた加熱温水器５０に送って、この内部加熱温水器５０で加熱した温水により食器を自動洗浄するようにしたものである。
【００１４】
本考案に係る廃熱エネルギー再活用装置１は、図１及び図２から分かるように、一連の単管２を蛇行状に形成してなる吸熱配管３を、扁平状に形成されていて底部に排水口４を設けたケーシング５の内部に挿入配備すると共に、ケーシング５内の上端部には、下側に撒水孔６が長手方向一定ピッチで多数設けられた廃水撒水管７を水平に配備し、吸熱配管３の一端部１５は原水供給源である水道の蛇口８にホース１７によって接続し、吸熱配管３の他端部１６は、洗浄機３０に設けてある加熱水供給口９に接続管１１によって接続するか、あるいは洗浄機３０の外部にある加熱温水器４０の原水供給口４０ａに接続管１２によって接続し、更に廃水撒水管７の一端部７ａを洗浄機３０の廃水排出口１０に接続してなるもので、洗浄機３０の内部にある加熱温水器５０から送られた温水により洗浄した廃水を廃水撒水管７に供給し、この廃水撒水管７により廃水を下方の吸熱配管３に撒水して、廃洗浄水に含まれている例えば６０℃に相当する廃熱エネルギーを吸熱配管３で有効に吸収して、吸熱配管３内部を流通する低温の洗浄原水を所要温度に加熱するようになっている。
【００１５】
なお、加熱温水器４０の加熱水排出口４０ｂは接続管１３によって洗浄機３０の加熱水供給口９に接続される。また、この加熱温水器４０は、例えばガス加熱方式の温水器で、そのガス供給口４０ｃにガス供給管１４が接続されるようになっている。
【００１６】
上記ケーシング５は、前面板５ａと背面板５ｂと幅の狭い左右端板５ｃ，５ｃと底板５ｄとによって、上端が開口した扁平状に形成されている点に特徴を有する。なお、ケーシング上端部を、吸熱配管３の両端部１５，１６を除いた部分で図示しない上板で塞ぐようにしてもよい。この扁平状ケーシング５の寸法の一例を参考までに示せば、図２及び図３に示すようにケーシング５の高さＨが４００ｍｍ、左右方向幅Ｗが６００ｍｍ、前後方向幅Ｔが２２．４ｍｍである。そして、排水口４は底板５ｄの一端側に設けられている。又、撒水孔６は、内径が１７．５ｍｍの撒水管７の長手方向全域にかけて２０ｍｍピッチで設けられている。
【００１７】
一連の単管２を蛇行状に形成してなる吸熱配管３は、図１及び図２から分かるように、一端部１５側で縦方向に延びる縦管部３ａを形成し、この縦管部３ａの下端部からほぼ水平に所要長さ迄延びてその先端部から上方へ向かう蛇行部３ｂを複数段に亘って繰り返し形成し、その最上段の蛇行部３ｂの先端部を上向き垂直に延ばして縦管部３ｃを形成し、この縦管部３ｃの先端部を吸熱配管３の他端部１６としたもので、最下段の蛇行部３ｂが扁平状ケーシング５の底面に近接するような状態で吸熱配管３の両端部１５，１６がこのケーシング５の上端から夫々突出した状態でケーシング５内に挿入配備されている。
【００１８】
廃水撒水管７は、これの下方にある吸熱配管３の最上段の蛇行部３ｂとの間に所要間隔を確保した位置に水平に設置される。
【００１９】
上記のような構成よりなる食器洗浄機用廃熱エネルギー再活用装置１の使用に先立ち、吸熱配管３を扁平状ケーシング５内に挿入配備し、その両端部１５，１６をこのケーシング５の上端から突出させた状態にすると共に、廃水撒水管７を扁平状ケーシング５内の上端部に水平に配設した後、扁平状ケーシング５を洗浄機３０の下部後面部３５に取り付け、そして廃水撒水管７の一端部７ａを洗浄機３０の廃水排出口１０に接続して、自動食器洗浄機３０で用途廃棄される廃洗浄水を廃水撒水管７に流入可能な状態とし、また吸熱配管３の一端部１５を水道の蛇口８にホース１７によって接続し、吸熱配管３の他端部１６は、洗浄機３０の加熱水供給口９に接続管１１によって接続するか、又は洗浄機３０の外部の加熱温水器４０の原水供給口４０ａに接続管１２によって接続する。
【００２０】
なお、洗浄機３０の内部に設けてある加熱温水器５０の出力が比較的大きい場合には、吸熱配管３の他端部１６を洗浄機３０の加熱水供給口９に接続し、加熱温水器５０の出力が比較的小さい場合には、吸熱配管３の他端部１６を洗浄機３０の外部の加熱温水器４０の原水供給口４０ａに接続する。
【００２１】
しかして、自動食器洗浄機３０の使用において、吸熱配管３の一端部１５から供給される低温の洗浄原水（濯ぎ水である水道水）が吸熱配管３の縦管部３ａから蛇行部３ｂへと流入される一方、自動食器洗浄機３０で食器洗浄水としての役割を終えて用途廃棄される約６０℃の廃洗浄水が廃水撒水管７に流入し、この廃水撒水管７によって約６０℃の廃洗浄水が下方の吸熱配管３に細い連続液滴状となって撒水される。吸熱配管３に撒水された廃水は、扁平状ケーシング５内の底部に溜まりつつ、その排水口４より装置１の外に排出される。
【００２２】
上記のような廃水撒水管７による約６０℃の廃洗浄水の撒水によって、吸熱配管３が廃洗浄水の廃熱を吸収し、それによって内部を流通する約８℃の低温原水がおおよそ４０℃の加熱温水に予熱され、この加熱温水は、吸熱配管３の出口側端部１６から例えば加熱水供給口９に導入されて、洗浄機３０の内部の加熱温水器５０に供給され、ここで洗浄水の適正水温である８０℃以上に加熱されてから洗浄室に導入され、濯ぎ洗浄水として使用されることになる。
【００２３】
また、上記加熱温水が吸熱配管３の出口側端部１６から洗浄機３０の外部の加熱温水器４０に供給された場合は、この加熱温水器４０で６０℃前後の所要温度に加熱された後、洗浄機３０の加熱水供給口９から洗浄機３０の内部の加熱温水器５０に供給され、そこで洗浄水の適正水温である８０℃以上に加熱されて洗浄室に導入され、濯ぎ洗浄水として使用されることになる。
【００２４】
従って、自動食器洗浄機３０で食器洗浄水としての役割を終えて用途廃棄された廃洗浄水は、上記のような廃熱エネルギー再活用装置１の再活用システムにより循環を繰り返して、自然に自分が持っている熱量、即ち６０℃の３分の２である約４０℃の熱を吸熱配管３により、新たに流入される低温の洗浄原水（水道水）に伝導させることにより、食器洗浄機用の廃熱再活用システムを連続して実現させることができる。
【００２５】
上記のように、廃熱エネルギー再活用装置１は、蛇行状に形成してなる吸熱配管３を、底部に排水口４を設けたケーシング５の内部に挿入配備すると共に、ケーシング５内の上端部に、下側に多数の撒水孔６を設けた廃水撒水管７を水平に配備し、吸熱配管３の一端部１５を原水供給源８に接続し、吸熱配管３の他端部１６は洗浄機３０に設けた加熱水供給口９に接続するか、又は洗浄機３０の外部加熱温水器４０に接続し、廃水撒水管７は洗浄機３０の廃水排出口１０に接続してなるもので、洗浄機３０の内部加熱温水器５０から送られた温水で洗浄した用途廃棄された廃洗浄水を廃水撒水管７に供給し、この廃水撒水管７によって廃洗浄水を下方の吸熱配管３に撒水するようにしたから、廃洗浄水に含まれている６０℃に相当する廃熱エネルギーを吸熱配管３で有効に吸収して、吸熱配管３内部を流通する低温の洗浄原水を効果的に加熱することができる。この際、吸熱配管３に供給される洗浄原水の供給圧力を、原水供給源８から吸熱配管３に至る途中に適宜設けた減圧弁（図示せず）によって、例えば０．６５ＭＰａの圧力に調整して供給することよって、吸熱配管３内を流れる洗浄原水に対し、廃水撒水管７から撒水される廃洗浄水によって効果的に熱交換を行わせることができ、原水供給源８の供給圧力に影響されることがなく、洗浄原水の流通量と廃洗浄水の撒水量との時間的バランスが取りやすく、結果的に熱交換効率を上げることができる。更に、廃水撒水管７に設けられた撒水孔６は、その長手方向に一定ピッチで多数設けられているため、吸熱配管３の長手方向全域に均等に熱交換を行わせることができると共に、撒水孔６によって廃水の液滴が小さい状態で撒水するようになっているため、それだけ熱交換表面積が大となって熱交換を無駄なく効率的に行わせることができる。
【００２６】
そして、この廃熱エネルギー再活用装置１においては、吸熱配管３は、二重コルゲート管からなる従来の熱交換用管とは異なり、単管２を蛇行状に形成したものからなるため、配管長さを同一とした場合には、吸熱配管３の構造をコンパクトにして且つ小型にすることができる。しかも、この吸熱配管３を挿入配備するケーシング５が図２及び図３で示すような扁平状に形成されていることから、装置１が嵩張ることがなく、洗浄機設置のためのスペースを最小限にすることができる。
【００２７】
さらに、この吸熱配管３は、両端部１５，１６が夫々ケーシング５の上端から上向きに突出するように構成されているため、ケーシング５内への挿入配備が容易になると共に、原水供給源８ならびに加熱水供給口９及び外部加熱温水器４０との接続が容易となり、施工コストの低廉化を図ることができる。
【図面の簡単な説明】
【００２８】
【図１】本考案に係る食器洗浄機用廃熱エネルギー再活用装置を備えた自動食器洗浄機を示す斜視図である。
【図２】廃熱エネルギー再活用装置の一部断面正面図である。
【図３】同上の廃熱エネルギー再活用装置の平面図である。
【符号の説明】
【００２９】
１              廃熱エネルギー再活用装置
２              単管
３              吸熱配管
４              排水口
５              ケーシング
６              孔
７              廃水撒水管
８              水道の蛇口（原水供給源）
９              加熱水供給口
１０            廃水排出口
１５            吸熱配管の一端部
１６            吸熱配管の他端部
３０            自動食器洗浄機
４０            洗浄機外部の加熱温水器
５０            洗浄機内部の加熱温水器
【図１】
0003132813.tif 000003
【図２】
0003132813.tif 000004
【図３】
0003132813.tif 000005